【手続補正書】
【提出日】平成15年9月4日(2003.9.4)
【手続補正１】
【補正対象書類名】明細書
【補正対象項目名】特許請求の範囲
【補正方法】変更
【補正の内容】
【特許請求の範囲】
【請求項１】
同相第１信号を第２の同相第１信号と時間多重する第１時間マルチプレクサと、
前記第１時間マルチプレクサの出力を第１関数と混合する第１ミキサと、
直交第１信号を第２の直交第１信号と時間多重する第２時間マルチプレクサと、
前記第２時間マルチプレクサの出力を前記第１関数と混合する第２ミキサと、
同相第２信号を反転同相第２信号と時間多重する第３時間マルチプレクサと、
前記第３時間マルチプレクサの出力を第２関数と混合する第３ミキサと、
直交第２信号を反転直交第２信号と時間多重する第４時間マルチプレクサと、
前記第４時間マルチプレクサの出力を前記第２関数と混合する第４ミキサと、
前記第３ミキサの出力を切り替えるための第１位置および第２位置を有する第１スイッチと、
前記第４ミキサの出力を切り替えるための第１位置および第２位置を有する第２スイッチと、
前記第１スイッチが第２位置にあるときであって、前記第１スイッチが第１位置にないとき、前記第１ミキサの出力と前記第３ミキサの出力を加算する第１加算器と、
前記第２スイッチが第２位置にあるときであって、前記第２スイッチが第１位置にないとき、前記第２ミキサの出力と前記第４ミキサの出力を加算する第２加算器とを有することを特徴とする送信器。
【請求項２】
前記第１および第２関数は、直交または準直交関数であり、前記第１及び第２関数は同一であることを特徴とする請求項１に記載の送信器。
【請求項３】
前記第１時間マルチプレクサの出力を増幅する第１増幅器と、
前記第２時間マルチプレクサの出力を増幅する第２増幅器と、
前記第３時間マルチプレクサの出力を増幅する第３増幅器と、
前記第４時間マルチプレクサの出力を増幅する第４増幅器とをさらに有することを特徴とする請求項１に記載の送信器。
【請求項４】
前記第３増幅器は、前記第３時間マルチプレクサの出力を利得Ｇ／√２で増幅し、前記第４増幅器は、前記第４時間マルチプレクサの出力を利得Ｇ／√２で増幅し、前記第１増幅器は、前記第１時間マルチプレクサの出力を利得Ｇで増幅する第１増幅器Ａと、前記第１時間マルチプレクサの出力を利得Ｇ／√２で増幅する第１増幅器Ｂとを有し、前記第２増幅器は、前記第２時間マルチプレクサの出力を利得Ｇで増幅する第２増幅器Ａと、前記第２時間マルチプレクサの出力を利得Ｇ／√２で増幅する第２増幅器Ｂとを有することを特徴とする請求項３に記載の送信器。
【請求項５】
前記送信器は、前記第１および第２スイッチが第１位置にあるときに第１動作モードにあり、前記第１および第２スイッチが第２位置にあるときに第２動作モードにあり、
前記第１時間マルチプレクサの出力を、前記送信器が第１動作モードにあるときに前記第１増幅器Ａに送り、前記送信器が第２動作モードにあるときに前記第１増幅器Ｂに送る第３スイッチと、
前記第２時間マルチプレクサの出力を、前記送信器が第１動作モードにあるときに前記第２増幅器Ａに送り、前記送信器が第２動作モードにあるときに前記第２増幅器Ｂに送る第４スイッチとをさらに有することを特徴とする請求項４に記載の送信器。
【請求項６】
前記第１信号は、ユーザ信号の偶データビットを含み、前記第２信号は、該ユーザ信号の奇データビットを含むことを特徴とする請求項１に記載の送信器。
【請求項７】
前記送信器は、前記第１および第２スイッチが第１位置にあるときに第１動作モードにあり、前記第１および第２スイッチが第２位置にあるときに第２動作モードにあり、
第２の同相第２信号を、前記送信器が第１動作モードにあるときに第２の反転同相第２信号と時間多重し、前記送信器が第２動作モードにあるときに第３の同相第２信号と時間多重する第５時間マルチプレクサと、
前記第５時間マルチプレクサの出力を第３関数と混合する第５ミキサと、
第２の直交第２信号を、前記送信器が第１動作モードにあるときに第２の反転直交第２信号と時間多重し、前記送信器が第２動作モードにあるときに第３の直交第２信号と時間多重する第６時間マルチプレクサと、
前記第６時間マルチプレクサの出力を前記第３関数と混合する第６ミキサと、
第３の同相第１信号を反転同相第１信号と時間多重する第７時間マルチプレクサと、
前記第７時間マルチプレクサの出力を第４関数と混合する第７ミキサと、
第３の直交第１信号を反転直交第１信号と時間多重する第８時間マルチプレクサと、
前記第８時間マルチプレクサの出力を前記第４関数と混合する第８ミキサと、
前記送信器が第１動作モードにあるときに前記第５ミキサの出力と前記第７ミキサの出力を加算する第３加算器と、
前記送信器が第２動作モードにあるときに前記第６ミキサの出力と前記第８ミキサの出力を加算する第４加算器とをさらに有することを特徴とする請求項１に記載の送信器。
【請求項８】
第１および第２動作モードを有する送信器において、
同相第１信号を、前記送信器が第１動作モードにあるときに反転同相第１信号と時間多重し、前記送信器が第２動作モードにあるときに第２の同相第１信号と時間多重する第１時間マルチプレクサと、
前記第１時間マルチプレクサの出力を第１関数と混合する第１ミキサと、
直交第１信号を、前記送信器が第１動作モードにあるときに反転直交第１信号と時間多重し、前記送信器が第２動作モードにあるときに第２の直交第１信号と時間多重する第２時間マルチプレクサと、
前記第２時間マルチプレクサの出力を前記第１関数と混合する第２ミキサと、
同相第２信号を反転同相第２信号と時間多重する第３時間マルチプレクサと、
前記第３時間マルチプレクサの出力を第２関数と混合する第３ミキサと、
直交第２信号を反転直交第２信号と時間多重する第４時間マルチプレクサと、
前記第４時間マルチプレクサの出力を前記第２関数と混合する第４ミキサと、
前記第３ミキサの出力を切り替えるための第１位置および第２位置を有する第１スイッチと、
前記第４ミキサの出力を切り替えるための第１位置および第２位置を有する第２スイッチと、
前記第１スイッチが第２位置にあるときであって、前記第１スイッチが第１位置にないとき、前記第１ミキサの出力と前記第３ミキサの出力を加算する第１加算器と、
前記第２スイッチが第２位置にあるときであって、前記第２スイッチが第１位置にないとき、前記第２ミキサの出力と前記第４ミキサの出力を加算する第２加算器とを有することを特徴とする送信器。
【請求項９】
前記送信器は、
前記第２の同相第１信号を反転して前記反転同相第１信号を生成する第１インバータと、
前記第２の直交第１信号を反転して前記反転直交第１信号を生成する第２インバータと、
前記第２の同相第２信号を反転して前記反転同相第２信号を生成する第３インバータと、
前記第２の直交第２信号を反転して前記反転直交第２信号を生成する第４インバータと、
前記第２の同相第１信号を切り替えるための第１位置および第２位置を有する第３スイッチと、
前記第２の直交第１信号を切り替えるための第１位置および第２位置を有する第４スイッチとをさらに有し、
前記第２の同相第１信号は、前記第３スイッチが第２位置にあるときには前記第１時間マルチプレクサに送られ、前記第３スイッチが第１位置にあるときには前記第１インバータに送られ、
前記第２の直交第１信号は、前記第４スイッチが第２位置にあるときには前記第２時間マルチプレクサに送られ、前記第４スイッチが第１位置にあるときには前記第２インバータに送られることを特徴とする請求項８に記載の送信器。
【請求項１０】
前記第１時間マルチプレクサの出力を増幅する第１増幅器と、
前記第２時間マルチプレクサの出力を増幅する第２増幅器と、
前記第３時間マルチプレクサの出力を増幅する第３増幅器と、
前記第４時間マルチプレクサの出力を増幅する第４増幅器とをさらに有することを特徴とする請求項８に記載の送信器。